(57)【要約】  【課題】背幅を通常状態から拡幅させて使用する上で有用な構造を備え、しかも机上で見開いた状態のままで背幅変更作業を行うことの可能な、使い勝手に優れたファイルを簡易な構造により提供する。  【解決手段】表表紙Ａ及び裏表紙Ｂの内縁に一対の背幅調節部１、２を連ねて設け、これらの背幅調節部１、２を接離方向に沿って背板３にスライド可能に配置することにより異なる背幅位置をとらしめる。そして、背板３の内面側における所定取付位置に固定具６を取り付け可能として、取り付けに伴い固定具６の一部に設定した関連部たる突起６１、６２を背幅調節部１、２の一部に設定した被関連部たる貫通部１２、２２或いは内縁１ｐ、２ｐに係り合わせるようにし、このように被関連部を複数箇所に設けることによって、拡幅位置で一方の被関連部である内縁１ｐ、２ｐが係り合いに関与し幅狭位置で他方の被関連部である貫通部１２、２２が係り合いに関与するように構成した。  【選択図】図２
2008044156.tif 000002
【特許請求の範囲】
【請求項１】
表表紙及び裏表紙の内縁に一対の背幅調節部を連ねて設け、これらの背幅調節部を接離方向に沿って背板にスライド可能に配置することにより異なる背幅位置をとらしめるようにしたファイルであって、背板の内面側における所定取付位置に固定具を取り付け可能として、取り付けに伴い固定具の一部に設定した関連部を背幅調節部の一部に設定した被関連部に係り合わせるようにし、その際に被関連部を複数箇所に設けて少なくとも第１の背幅位置で一の被関連部が係り合いに関与し第２の背幅位置で他の一の被関連部が係り合いに関与するように構成し、又は、関連部を複数箇所に設けて少なくとも第１の背幅位置で一の関連部が係り合いに関与し第２の背幅位置で他の一の関連部が係り合いに関与するように構成したことを特徴とするファイル。
【請求項２】
背幅調節部は背板に対する可動範囲が規制されており、固定具に設けた突起を共通の関連部とする一方、背幅調節部の内縁及び当該内縁近傍に設けた貫通部をそれぞれ被関連部として、少なくとも最大背幅位置で固定具の突起を背幅調節部の内縁に係り合わせ、最小背幅位置で固定具の突起を背幅調節部の貫通部に係り合わせるようにしている請求項１記載のファイル。
【請求項３】
固定具に設けた突起を共通の関連部とする一方、背幅調節部の複数箇所に設けた貫通部をそれぞれ被関連部として、少なくとも最大背幅位置で固定具の突起を背幅調節部の一の貫通部に係り合わせ、最小背幅位置で固定具の突起を背幅調節部の他の一の貫通部に係り合わせるようにしている請求項１又は２記載のファイル。
【請求項４】
背幅調節部は背板に対する可動範囲が規制されており、固定具の外方端及びその外方端よりも内側に設けた突起をそれぞれ関連部とする一方、背幅調節部の内縁及び当該内縁近傍に設けた貫通部をそれぞれ被関連部として、少なくとも最大背幅位置で固定具の外方端を背幅調節部の内縁に係り合わせ、最小背幅位置で固定具の突起を該背幅調節部の貫通部に係り合わせるようにしている請求項１記載のファイル。
【請求項５】
固定具を、背幅調節部のスライド動作を妨げずかつ背板から離脱し得ないように当該背板に付帯させ、その付帯状態を保って背板の所定取付位置への脱着を可能としている請求項１〜４記載のファイル。
【請求項６】
背幅調節部と背板との間に、支持杆を背幅調節部に貫通させた状態で当該背幅調節部を背板に離脱しないように取り付ける取付機構を備え、この支持杆の一端側に固定具を支持させている請求項５記載のファイル。
【請求項７】
取付機構が、支持杆の一端側において背板に対し所定距離を隔てて対向配置される覆板を有し、その覆板に固定具を可動に支持させて、所定取付位置への固定具の脱着を行い得るようにしている請求項６記載のファイル。
【請求項８】
固定具が、ヒンジ部を介して覆板に回転可能に支持されている請求項７記載のファイル。
【請求項９】
固定具が、取り付け位置から取り外し位置に移動した際にクリックストップされるようにしている請求項８記載のファイル。
【請求項１０】
取付機構が、支持杆を所定方向にガイドするガイド部に係り合わせており、これら支持杆とガイド部とで背板に対する背幅調節部の移動を誘導するようにしている請求項６〜９記載のファイル。
【請求項１１】
固定具を、背板に対して離脱可能な状態下に当該背板の所定取付位置への脱着動作を行い得るようにしている請求項１〜４記載のファイル。
【請求項１２】
関連部の先端に取付爪を設けるとともに、背板の所定位置に取付孔を設け、関連部を被関連部に係り合わせるに伴い、取付爪を取付孔に掛け止めて、関連部を所要の係り合い位置に保持するようにしている請求項１〜１１記載のファイル。
【請求項１３】
表表紙及び裏表紙の内縁に一対の背幅調節部を連ねて設け、これらの背幅調節部を接離方向に沿って背板に分離し得ない状態でスライド可能に配置することにより異なる背幅位置をとらしめるようにしたファイルであって、背板に複数の取付位置を設定してその内面側から何れかの取付位置に固定具を選択的に取り付け可能として、取り付けに伴い固定具の一部に設定した関連部を背幅調節部の一部に設定した被関連部に係り合わせるようにし、固定具を一の取付位置に取り付けたときには背幅調節部を第１の背幅位置に固定し、固定具を他の一の取付位置に取り付けたときには背幅調節部を第２の背幅位置に固定できるようにしていることを特徴とするファイル。
【請求項１４】
固定具に設けた突起を関連部とする一方、背幅調節部に設けた貫通部を被関連部とするとともに、突起の先端に取付爪を設け、さらに背板の背幅方向に複数の取付孔を設けて、固定具の突起を背幅調節部の貫通部に貫通させた状態でその先端の取付爪を、少なくとも最大背幅位置で背板の外縁に近い取付孔に掛け止め、最小背幅位置で背板の外縁から遠い取付孔に掛け止めるようにしている請求項１３記載のファイル。
【請求項１５】
背幅調節部は背板に対する可動範囲が規制されており、固定具に設けた突起を関連部とする一方、背幅調節部の内縁及び当該内縁近傍に設けた貫通部をそれぞれ被関連部とするとともに、突起の先端に取付爪を設け、少なくとも最大背幅位置で固定具の突起を背幅調節部の内縁に係り合わせてその先端の取付爪を背板の一の取付位置に掛け止め、最小背幅位置で固定具を平面視９０°回転させることによりその突起を背幅調節部の貫通部に貫通させてその先端の取付爪を背板の他の一の取付位置に掛け止めるようにしている請求項１３記載のファイル。
【請求項１６】
背幅調節部は背板に対する可動範囲が規制されており、固定具の外方端及びその外方端よりも内側に設けた突起をそれぞれ関連部とする一方、背幅調節部の内縁及び当該内縁近傍に設けた貫通部をそれぞれ被関連部とするとともに、突起の先端に取付爪を設け、少なくとも最大背幅位置で固定具の外方端を背幅調節部の内縁に係り合わせて突起の先端の取付爪を背板の一の取付位置に掛け止め、最小背幅位置で固定具を平面視９０°回転させることにより固定具の突起を背幅調節部の貫通部に係り合わせてその先端の取付爪を背板の他の一の取付位置に掛け止めるようにしている請求項１３記載のファイル。
【請求項１７】
ベース部を介して一対の押さえ片を、各々対応する背幅調節部に少なくとも一方の押さえ片が着脱可能であるように取り付け、これらの押さえ片の一方より突出させたパイプと他方より突出させた軸とを嵌合させて背幅に応じた嵌合深さの綴じ杆を形成するパイプ式の綴じ具を具備し、この綴じ具のベース部が、背幅一定のファイルを構成する綴じ具のベース部を半割にしたものと同様の構成をなす請求項１〜１６記載のファイル。
【発明の詳細な説明】
【技術分野】
【０００１】
本発明は、比較的大量の紙葉類を綴じ込むことが予定される場合等に特に有効となるファイルに関するものである。
【背景技術】
【０００２】
この種の従来のファイルとして、例えば特許文献１に示すものが知られている。このものは、表表紙及び裏表紙の内縁に背表紙側に回り込む一対の背幅調節部を連ねて設け、これらの背幅調節部を接離方向に沿って背板にスライド可能に配置することにより異なる背幅位置をとらしめるようにしたものである。そして、通常背幅時に背幅調節部を所定位置にロックするロック機構を設け、必要なときにこのロック機構のロック状態を解除することによって、背幅調節部を拡幅位置にスライド移動させ、一時的に背幅を拡幅して閲覧性を向上させることができるようにしている。
【特許文献１】特開２００５−１３２０６５
【発明の開示】
【発明が解決しようとする課題】
【０００３】
ところで、この種のファイルを取り扱う際には、背表紙を上にして表表紙と裏表紙を掴むように握ったり、棚等の保管場所に対して背表紙の両縁を摘んで出し入れしたりするものである。したがって、単に背幅を拡幅させるだけの上記特許文献１のものは、綴じ杆の強度が低下することも踏まえると、あくまで閲覧性の向上に止まり、実質的に綴じ込み量を可変とするものではない。すなわち、かかる特許文献１に代表されるファイルにおいては、予め多くの紙葉類の綴じ込みが予定される場合には、最初から背幅の幅広なものを使用することになるため、収容量が少ない間は保管場所に配置した際に多くのデッドスペースを生じることとなる。
【０００４】
本発明は、このような課題に着目してなされたものであって、背幅を通常状態から拡幅させて使用する上で有用な構造を備え、しかも机上で見開いた状態のままで背幅変更作業を行うことの可能な、使い勝手に優れたファイルを簡易な構造により提供しようとするものである。
【課題を解決するための手段】
【０００５】
本発明は、かかる目的を達成するために、次のような手段を講じたものである。
【０００６】
すなわち、本発明のファイルは、表表紙及び裏表紙の内縁に一対の背幅調節部を連ねて設け、これらの背幅調節部を接離方向に沿って背板にスライド可能に配置することにより異なる背幅位置をとらしめるようにしたファイルであって、背板の内面側における所定取付位置に固定具を取り付け可能として、取り付けに伴い固定具の一部に設定した関連部を背幅調節部の一部に設定した被関連部に係り合わせるようにし、その際に被関連部を複数箇所に設けて少なくとも第１の背幅位置で一の被関連部が係り合いに関与し第２の背幅位置で他の一の被関連部が係り合いに関与するように構成し、又は、関連部を複数箇所に設けて少なくとも第１の背幅位置で一の関連部が係り合いに関与し第２の背幅位置で他の一の関連部が係り合いに関与するように構成したことを特徴とする。
【０００７】
このように構成すると、背幅調節部を通常背幅位置から拡幅位置に再固定して使用することができるので、単に閲覧のために拡幅するものに比べて、実質的な綴じ込み量を有効に可変とすることができる。また、予め多くの紙葉類の綴じ込みが予定される場合にも、綴じ込み量が少ない間は背幅を幅狭に調整しておけば棚等の保管場所に多くのデッドスペースが生じることも有効に解消することができる。その上、背板の内面側から固定具を一定の取付位置に取り付けるので、机上にて見開き状態で背幅変更作業及び固定作業を簡単に行うことができ、背板に必要以上の取付孔等を設けることも回避できるので、加工の便等も向上させることができる。
【０００８】
背幅調節部の背板に対する可動範囲が規制されている場合には、固定具に設けた突起を共通の関連部とする一方、背幅調節部の内縁及び当該内縁近傍に設けた貫通部をそれぞれ被関連部として、少なくとも最大背幅位置で固定具の突起を背幅調節部の内縁に係り合わせ、最小背幅位置で固定具の突起を背幅調節部の貫通部に係り合わせるようにしていることが、貫通部を設ける箇所に制約が多い場合等に有効となる。
【０００９】
勿論、背幅調節部が十分幅広である場合等には、固定具に設けた突起を共通の関連部とする一方、背幅調節部の複数箇所に設けた貫通部をそれぞれ被関連部として、少なくとも最大背幅位置で固定具の突起を背幅調節部の一の貫通部に係り合わせ、最小背幅位置で固定具の突起を背幅調節部の他の一の貫通部に係り合わせるようにしても構わない。
【００１０】
或いは、背幅調節部は背板に対する可動範囲が規制されている場合等において、貫通部を背幅調節部の内縁に近い位置に設けても有効な背幅変化の下に背幅調節部を固定できるようにするためには、固定具の外方端及びその外方端よりも内側に設けた突起をそれぞれ関連部とする一方、背幅調節部の内縁及び当該内縁近傍に設けた貫通部をそれぞれ被関連部として、少なくとも最大背幅位置で固定具の外方端を背幅調節部の内縁に係り合わせ、最小背幅位置で固定具の突起を該背幅調節部の貫通部に係り合わせるようにしていることが効果的である。
【００１１】
固定具に背板に対する一義的な動作を与えるためには、固定具を、背幅調節部のスライド動作を妨げずかつ背板から離脱し得ないように当該背板に付帯させ、その付帯状態を保って背板の所定取付位置への脱着を可能としておくことが好ましい。
【００１２】
具体的な態様としては、背幅調節部と背板との間に、支持杆を背幅調節部に貫通させた状態で当該背幅調節部を背板に離脱しないように取り付ける取付機構を備え、この支持杆の一端側に固定具を支持させるようにしているものが挙げられる。
【００１３】
背幅調節部や固定具を確実に保持するためには、取付機構が、支持杆の一端側において背板に対し所定距離を隔てて対向配置される覆板を有し、その覆板に固定具を可動に支持させて、所定取付位置への固定具の脱着を行い得るようにしていることが望ましい。
【００１４】
固定具の良好な操作性を保ちつつ、その脱落や紛失を防止するためには、固定具がヒンジ部を介して覆板に回転可能に支持されていることが好ましい。
【００１５】
背幅調節操作の邪魔にならないようにするためには、固定具が、取り付け位置から取り外し位置に移動した際にクリックストップされるようにしておくことが好ましい。
【００１６】
背幅調節操作を円滑に行い得るようにするためには、取付機構が、支持杆を所定方向にガイドするガイド部に係り合わせており、これら支持杆とガイド部とで背板に対する背幅調節部の移動を誘導するようにしているものが好適である。
【００１７】
或いは、取付機構に組み込むことが適当でない事情がある場合等には、固定具を、背板に対して離脱可能な状態下に当該背板の所定取付位置への脱着動作を行い得るように構成しても構わない。
【００１８】
背幅固定操作と固定具の取付操作とを有効に関連づけるためには、関連部の先端に取付爪を設けるとともに、背板の所定位置に取付孔を設け、関連部を被関連部に係り合わせるに伴い、取付爪を取付孔に掛け止めて、関連部を所要の係り合い位置に保持するようにしておくことが望ましい。
【００１９】
一方、本発明の他の構成として、固定具を背板に設定した複数の取付位置に選択的に取り付け可能とし、背幅調節部を異なる背幅位置に固定するように構成することもできる。この場合は、表表紙及び裏表紙の内縁に一対の背幅調節部を連ねて設け、これらの背幅調節部を接離方向に沿って背板に分離し得ない状態でスライド可能に配置することにより異なる背幅位置をとらしめるようにする。そして、背板に複数の取付位置を設定しその内面側から何れかの取付位置に固定具を選択的に取り付け可能として、取り付けに伴い固定具の一部に設定した関連部を背幅調節部の一部に設定した被関連部に係り合わせるようにし、固定具を一の取付位置に取り付けたときには背幅調節部を第１の背幅位置に固定し、固定具を他の一の取付位置に取り付けたときには背幅調節部を第２の背幅位置に固定できるように構成してもよい。
【００２０】
具体的な実施の態様としては、固定具に設けた突起を関連部とする一方、背幅調節部に設けた貫通部を被関連部とするとともに、突起の先端に取付爪を設け、さらに背板の背幅方向に複数の取付孔を設けて、固定具の突起を背幅調節部の貫通部に貫通させた状態でその先端の取付爪を、少なくとも最大背幅位置で背板の外縁に近い取付孔に掛け止め、最小背幅位置で背板の外縁から遠い取付孔に掛け止めるようにしているものが挙げられる。
【００２１】
或いは、背幅調節部の背板に対する可動範囲が規制されている場合には、固定具に設けた突起を関連部とする一方、背幅調節部の内縁及び当該内縁近傍に設けた貫通部をそれぞれ被関連部とするとともに、突起の先端に取付爪を設け、少なくとも最大背幅位置で固定具の突起を背幅調節部の内縁に係り合わせてその先端の取付爪を背板の一の取付位置に掛け止め、最小背幅位置で固定具を平面視９０°回転させることによりその突起を背幅調節部の貫通部に貫通させてその先端の取付爪を背板の他の一の取付位置に掛け止めるように構成してもよい。
【００２２】
さらに、背幅調節部の背板に対する可動範囲が規制されている場合に、固定具の外方端及びその外方端よりも内側に設けた突起をそれぞれ関連部とする一方、背幅調節部の内縁及び当該内縁近傍に設けた貫通部をそれぞれ被関連部とするとともに、突起の先端に取付爪を設け、少なくとも最大背幅位置で固定具の外方端を背幅調節部の内縁に係り合わせて突起の先端の取付爪を背板の一の取付位置に掛け止め、最小背幅位置で固定具を平面視９０°回転させることにより固定具の突起を背幅調節部の貫通部に係り合わせてその先端の取付爪を背板の他の一の取付位置に掛け止めるように構成することもできる。
【００２３】
本発明の好適な適用例としては、ベース部を介して一対の押さえ片を、各々対応する背幅調節部に少なくとも一方の押さえ片が着脱可能であるように取り付け、これらの押さえ片の一方より突出させたパイプと他方より突出させた軸とを嵌合させて背幅に応じた嵌合深さの綴じ杆を形成するパイプ式の綴じ具を具備し、この綴じ具のベース部が、背幅一定のファイルを構成する綴じ具のベース部を半割にしたものと同様の構成をなしているものが挙げられる。
【発明の効果】
【００２４】
本発明は、以上説明した構成であるから、背幅を通常状態から拡幅させて使用する上で有用となり、しかも机上で見開いた状態のままで背幅変更作業を適切に行うことの可能な、使い勝手に優れたファイルを簡易な構造により提供することが可能となる。
【発明を実施するための最良の形態】
【００２５】
以下、本発明の一実施形態を、図面を参照して説明する。
【００２６】
図１及び図２に示す本実施形態のファイルは、内縁に背幅調節部１、２を連ねて設けた表表紙Ａ及び裏表紙Ｂと、これらの背幅調節部１、２をバックアップする背板３と、これらの背幅調節部１、２を接離方向に沿って背板３にスライド可能に取り付ける取付機構４とを具備してなるファイル本体Ｆに、パイプ式の綴じ具５を設けたものである。
【００２７】
具体的に説明すると、表表紙Ａ及び裏表紙Ｂは、それぞれヒンジ部ａ、ｂを介して背幅調節部１、２に一体的に設けられたもので、これら両表紙Ａ、Ｂを折り畳んだ際にヒンジ部ａ、ｂが屈曲することによって背幅調節部１、２が背表紙Ｃ側に回り込んだ位置に保持され得るようにしている。各背幅調節部１、２の内縁近傍における背幅方向と直交する方向（以下、背丈方向と称する）の端部近傍には、それぞれ取付機構４を適用するための貫通孔１１、２１が形成してあり、そのやや背丈方向中央よりには長孔状の貫通部１２、２２が、また各背幅調節部１、２の内縁１ｐ、２ｐ側のコーナー部には矩形状の切欠１３、２３がそれぞれ設けてある。
【００２８】
背板３は、背幅を最小に調整した図１の状態で背表紙Ｃの大きさを与える矩形状のもので、その内面に前記背幅調節部１、２をスライド可能に重合配置している。この背板３には、図２に示すように背丈方向の端部近傍に背幅方向に延びる対をなす段付の長孔３１が設けてあり、これらの長孔３１に対して背丈方向の中央よりには幅方向２箇所に取付孔３２が、また背丈方向の端部には内向き逆Ｌ字形に立ち上がった突片３３によって溝３３ａがそれぞれ形成されている。この溝３３ａには、背幅調節部１、２の切欠１３、２３の縁部が差し込まれて背幅調節部１、２の小口の見え掛かりを向上させ、同時に背幅調節部１、２と突片３３との干渉及び背幅調節部１、２の浮き上がりが防止される。
【００２９】
取付機構４は、図２、図４及び図５等に示すように、支持杆４１を背幅調節部１、２の貫通孔１１、２１に貫通させた状態で当該背幅調節部１、２を背板３に離脱しないように取り付けるもので、支持杆４１は雌リベット４１ａに雄リベット４１ｂを嵌め合わせて抜き外すことができないように構成され（図２参照）、かつ嵌め合わせた状態で雌リベット４１ａ及び雄リベット４１ｂの両鍔部間に一定の空隙が形成されるようにしている。そして、予め背幅調節部１、２の上方において背板３に対し所定距離を隔てて覆板４２を対向配置し、この覆板４２に前記長孔３１に対応する長孔４２ａを形成しておき、背幅調節部１、２に支持杆４１を貫通させた状態でそれらの鍔部をそれぞれ背板３及び覆板４２の長孔３１、４２ａにスライド可能に係り合わせている。すなわち、背幅調節部１、２は貫通孔１１、２１において支持杆４１と一体となって長孔３１、４２ａにより規制された範囲内で移動可能であり、その際に長孔３１、４２ａがガイド部となって支持杆４１をガイドするため、背板３に対する背幅調節部１、２の円滑な接離動作が誘導されるようにしている。
【００３０】
一方、綴じ具５は、図１及び図２等に示すように、一対の押さえ片５１をそれぞれベース部５２を介して対応する各背板調節部１、２の内縁１ｐ、２ｐ近傍かつ背丈方向中央部に取り付けてなる。ベース部５２は、通常の背幅一定タイプのファイルに付帯するベース部を半割にした構造のもので、各ベース部５２の外縁に軸受部５２ａを有しており、押さえ片５１の基端５１ａをベース部５２の軸受部５２ａに差し込むことにより回転軸ｍ回りに回転可能にするとともに、押さえ片５１に付帯して設けた操作部５１ｂを押圧操作することにより押さえ片５１の基端５１ａをベース部５２の軸受部５２ａから解離させ得るようにしている。かかる脱着構造自体は既に知られたものである。これらの押さえ片５１の一方には２本のパイプ５３が、また他方には２本の軸５４がそれぞれ突出させて設けてある。そして、通常は表表紙Ａ側の背幅調節部１に付帯する押さえ片５１をベース部５２から離脱させ、パイプ５３と軸５４とを解離した図３の状態から、これらのパイプ５３と軸５４とを嵌合させ、しかる後、両押さえ片５１を対面状態となるようにベース部５２に装着することにより、図３→図１４あるいは図９→図１５のように背幅調節部１、２の接離位置に応じた嵌合深さの綴じ杆５ｘを形成し得るようにしている。
【００３１】
以上の構成において、本実施形態は、前記背幅調節部１、２を所定の背幅位置に固定する固定具６を設けている。
【００３２】
この固定具６は、図２、図４及び図６等に示すように、前記取付機構４の覆板４２の縁部にヒンジ部６ａを介して回転可能に連ねて設けたプレート状のもので、下面に突起６１、６２を有しており、このうち突起６１の先端に前記背板３の取付孔３２の内段部３２ａに係り合い可能な取付爪６１ａを形成している。すなわち、取付機構４の覆板４２は常に背板３に対して一定位置に配置されるため、この固定具６は常に背板３の内面における所定取付位置に取り付けられるものである。突起６１には取付爪６１ａを係り合わせ或いは離脱させる際にヒンジ部６ａから離れる方向の撓み弾性が付与してあり、突起６２は背幅調節部１、２の位置ずれを実質的に規制する強度を有している。
【００３３】
すなわち、背幅調節部１、２を図３〜図５及び図８に示す最小背幅位置に縮幅して突起６１の取付爪６１ａを図７に示す背板３の取付孔３２に係り合わせた際には、突起６１、６２は図４並びに図６〜図８に示すように背幅調節部１（２）の貫通部１２（２２）に差し込まれて背幅調節部１（２）がその背幅位置に保持され、逆に背幅調節部１、２を図９〜図１１に示す最大背幅位置に拡幅して前記突起６１の取付爪６１ａを図１２に示す背板３の取付孔３２に係り合わせた際には、突起６１、６２は図１０、図１２及び図１３に示すように背幅調節部１（２）の内縁１ｐ（２ｐ）に係り合って背幅調節部１（２）がその背幅位置に保持されるようにしている。つまり、突起６１、６２は本発明に係る共通の関連部として機能し、背幅調節部１、２の内縁１ｐ、２ｐ及び貫通部１２、２２は本発明の被関連部として機能している。
【００３４】
なお、この固定具６は、ヒンジ部６ａによって係り合い位置から非係り合い位置に移動した図６の位置にクリックストップされ、覆板４２に対して起立した状態を保持するようになっている。
【００３５】
ところで、上記の構成のままだと、拡幅状態において、綴じ具５の綴じ杆５ｘを構成する軸５４が図１４→図１５に示すようにパイプ５３から拡幅寸法分だけ引き出された状態となり、このままではパイプ５３と軸５４の間に出来る段差が閲覧時に紙葉類を通過させる際の引っ掛かりになるとともに、強度的にも不十分となるのみならず、軸５４が付帯している側の押さえ片５１を抜き取って紙葉類の加除作業を行う際に、綴じ込んでいる紙葉類が多い場合にはパイプの長さが足りずに紙葉類が外れて散乱する事態が起こり得る。
【００３６】
そこで、本実施形態は、図３及び図９に示すように、背幅調節に伴って開閉する位置に格納空間Ｓを設け、この格納空間Ｓに延長パイプ５５を格納して、背幅を拡幅した際にその格納空間Ｓを開放して延長パイプ５５を取り出し得るようにしている。そして、その延長パイプ５５を既設パイプ５３に嵌合させることによって、図１６に示すように当該既設パイプ５３から突出する軸５４を延長パイプ５５で覆いつつ綴じ杆５ｘを延長できるようにしている。
【００３７】
格納空間Ｓは、ベース部５２と背板３の内面との間に形成されたもので、元々ベース部５２は外縁側に軸受５２ａ等の機構部を形成する関係上、中央部がせり上がった中空部５２ｘになっている。そこで、この中空部５２ａを利用し、対する背板３の内面に凹部３４を形成するとともに、背幅調節部１、２の内縁１ｐ、２ｐのうち凹部３４に対応する部位を切除して（図９における符合１ｒ、２ｒ参照）、中空部５２ｘと凹部３４との間に格納空間Ｓとして機能する空隙を確保している。凹部３４内には延長パイプ５５を係り合わせる挟持片３４ａが起立しており、この挟持片３４ａに図１７に示すように延長パイプ５５を嵌め込んで保持させることができるようにしている。勿論、この状態で左右のベース部５２の内縁同士を突き合わせた際には、ベース部５２は延長パイプ５５と干渉せずに格納空間Ｓの上方を覆うことができる。
【００３８】
一方、延長パイプ５５は、図１８に示すようにステンレス等の薄板鋼鈑を円筒状に塑性変形加工して、長手方向に延びる縁部間を開きつつ半径方向に弾性変形するように構成したもので、図１６及び図１８に示すように既設パイプ５３に対して拡幅寸法分だけ長く、且つやや大径に設けられて、半径方向に弾性的に拡径しながら既設パイプ５３に外嵌されるように設定している。
【００３９】
そして、既設パイプ５３の押さえ片側端部近傍に図９、図１８及び図１９（ａ）に示すような外向きに凹となる凹凸関連部５３ａを設けるとともに、延長パイプ５５の対応部位である嵌合始端側に内向きに凸となる凹凸関連部５５ａを設け、さらに延長パイプ５５の凹凸関連部５５ａ近傍に一部波形をなす変形誘発部５５ｂを形成し、この変形誘発部５５ｂによって当該凹凸関連部５５ａ及びその周辺部の半径方向への弾性変形を誘発するようにしている。
【００４０】
また、図１８に示す延長パイプ５５のうち既設パイプ５３と実質的に嵌合しない延長部分に、延長パイプ５５の内径を狭める狭窄部として、図１６、図１８及び図１９（ｂ）に示すように延長パイプ５５の長手方向に沿って延びる複数の内向きの突条５５ｃを外周等角位置に打設により設けている。
【００４１】
以上のように構成される本実施形態は、表表紙Ａ及び裏表紙Ｂの内縁に一対の背幅調節部１、２を連ねて設け、これらの背幅調節部１、２を接離方向に沿って背板３にスライド可能に配置することにより異なる背幅位置をとらしめるようにしたものである。そして、背板３の内面側における所定取付位置に固定具６を取り付け可能として、取り付けに伴い固定具６の一部に設定した関連部たる突起６１、６２を背幅調節部１、２の一部に設定した被関連部たる貫通部１２、２２或いは内縁１ｐ、２ｐに係り合わせるようにし、このように被関連部を複数箇所に設けることによって、拡幅位置で一方の被関連部である内縁１ｐ、２ｐが係り合いに関与し幅狭位置で他方の被関連部である貫通部１２、２２が係り合いに関与するように構成したものである。
【００４２】
このように構成すると、背幅調節部１、２を通常位置である幅狭位置から拡幅位置に再固定して使用することができるので、単に閲覧のために拡幅する場合に比べて、実質的な綴じ込み量を有効に可変とすることができる。また、予め多くの紙葉類の綴じ込みが予定される場合にも、綴じ込み量が少ない間は背幅調節部１、２を幅狭位置に調整しておけば棚等の保管場所に多くのデッドスペースが生じることも有効に解消することができる。その上、背板３の内面側から一定の取付位置に固定具６を固定するので、机上にて見開き状態で背幅変更作業及び固定作業を簡単に行うことができ、背板３に必要以上の取付孔等を設けることも回避して、加工の便等も有効に向上させることができる。
【００４３】
具体的には、背幅調節部１、２の背板３に対する可動範囲を規制した上で、固定具６に設けた突起６１、６２を共通の関連部とする一方、背幅調節部１、２の内縁１ｐ、２ｐ及び当該内縁１ｐ、２ｐ近傍に設けた貫通部１２、２２をそれぞれ被関連部として、最大背幅位置で固定具６の突起６１、６２を背幅調節部１、２の内縁１ｐ、２ｐに係り合わせ、最小背幅位置で固定具６の突起６１、６２を背幅調節部１、２の貫通部１２、２２に係り合わせるようにしている。このように、背幅調節部１、２の内縁１ｐ、２ｐを利用することで、少なくとも背幅調節部１、２に設ける貫通部１２、２２の数を減らすことができ、背幅調節部１、２が比較的幅狭であるためにスライド方向に沿って多数の貫通部を設けられない事情がある場合等に特に有効な構成として採用することができる。
【００４４】
また、固定具６を、背幅調節部１、２のスライド動作を妨げずかつ背板３から離脱し得ないように当該背板３に付帯させ、その付帯状態を保って背板３の所定取付位置への脱着を可能としているため、固定具６が常に背板３に付帯することとなり、誰が操作しても固定具６を背板３の一定の取付位置に取り付ける操作を有効に行わせることができる。
【００４５】
具体的には、背幅調節部１、２と背板３との間に、支持杆４１を背幅調節部１、２に貫通させた状態で背幅調節部１、２を背板３に離脱しないように取り付ける取付機構４を備え、この支持杆４１の一端側に固定具６を支持させているので、固定具６を支持杆４１を介して背板３に確実に付帯させることができ、構造も簡素なものに止どめることができる。
【００４６】
その取付機構４も、支持杆４１の一端側において背板３に対し所定距離を隔てて対向配置される覆板４２を有し、その覆板４２に固定具６を可動に支持させて、関連部である突起６１、６２を被関連部である貫通部１２、２２や内縁１ｐ、２ｐに対して脱着させるようにしているので、背幅調節部１、２が支持杆４１から外れることを覆板４２によって禁止することができると同時に、固定具６の取付先もこの覆板４２上に容易に確保することができる。
【００４７】
特に固定具６が、ヒンジ部６ａを介して覆板４２に回転可能に支持されているので、ぶれの少ない回転動作を通じて良好な操作性を保ちつつ、覆板からの脱落、紛失を有効に防止することができ、また、取り付け位置から取り外し位置に移動した際にヒンジ部６ａによってクリックストップされるようにしているので、固定具６を取り外し位置に待機させた状態で背幅調節部１、２の操作を有効に行うことができる。
【００４８】
さらに、取付機構４が、支持杆４１をガイド部たる長孔４２ａ、３１に係り合わせており、これら支持杆４１と長孔４２ａ、３１とで背板３に対する背幅調節部１、２の移動を誘導するようにしているので、別途にスライドガイド部を設けることなく、固定具６の支持構造を利用して背幅調節部１、２のスライド動作を円滑に行わせることができ、構造の複雑化を有効に回避することが可能となる。
【００４９】
さらにまた、関連部である突起６１の先端に取付爪６１ａを設けるとともに、背板３の所定位置に取付孔３２を設け、突起６１を被関連部である内縁１ｐ、２ｐや貫通部１２、２２に係り合わせるに伴い、取付爪６１ａを取付孔３２に掛け止めて、突起６１を所要の係り合い位置に保持するようにしており、関連部として機能する突起６１の先端をそのまま固定具６を背板３に取り付ける取付部材として用いることができる。このため、構造の簡素化の実効を図ることができ、また、突起６１を貫通部１２、２２や内縁１ｐ、２ｐに係り合わせるための背幅固定操作がそのまま固定具６の取り付け操作に連なるため、一連の操作によって背幅変更作業の便を有効に向上させることができる。
【００５０】
以上において、本実施形態のファイルＦに付帯する綴じ具５は、ベース部５２を介して一対の押さえ片５１を、各々対応する背幅調節部に少なくとも一方の押さえ片５１が着脱可能であるように取り付け、これらの押さえ片５１の一方より突出させた軸５４と他方より突出させたパイプ５３とを嵌合させて背幅に応じた嵌合深さの綴じ杆を形成するパイプ構造をなし、この綴じ具５のベース部５２が、背幅一定のファイルを構成する綴じ具のベース部を半割にしたものと同様の構成をなしている。このため、背幅を狭く調節した際には通常の綴じ具を用いたファイルと全く同じ背幅、同じ綴じ込み量のものとして取り扱うことができ、取扱いに便利となる上に、綴じ具も作り易いものになる。
【００５１】
なお、各部の具体的な構成は、上述した実施形態のみに限定されるものではない。
【００５２】
例えば、背幅調節部１、２がある程度幅広である場合等には、図２０に示すように、固定具６に設けた突起６１、６２を共通の関連部とするのに対して、背幅調節部１、２に複数の貫通部１１２、１２２を設けて被関連部とし、それらの貫通部１１２、１２２に選択的に突起６１、６２を同じ条件で係り合わせるように構成しても構わない。
【００５３】
或いは、背幅調節部１、２の背板３に対する可動範囲が規制されている場合において、図２１に示すように、最大背幅位置（同図（ａ））で固定具１０６の外方端１０６ａを関連部とするとともに背幅調節部１、２の内縁１ｐ、２ｐを前記外方端１０６ａが係り合う被関連部となし、最小背幅位置（同図（ｂ））で固定具６の外方端１０６ａよりも内方に設けた突起１６１を関連部とするとともに背幅調節部１、２の内縁付近に設けた貫通孔２１２、２２２を前記突起１６１が係り合う被関連部となしてもよい。このようにすれば、貫通部２１２、２２２を背幅調節部１、２の内縁１ｐ、２ｐに近い位置に設けても、比較的大きな背幅変化の下に背幅調節部１、２を固定することができる。なお、この場合には、突起１６１の先端に形成される取付爪１６１ａが背板３の厚み方向に対して２段階で取付孔１３２に係り合うようにしておくとよい。
【００５４】
また、図２２に示すように、固定具２０６に上記と同様の突起２６１、２６２を設けるものの、この固定具２０６を背板３に対して常に付帯するのではなく離脱可能として、背板３の所定取付位置への脱着動作を行い得るように構成しても、背幅調整前後は必ず背板３に付帯して機能するので部品の紛失の恐れはなく、背板３に対して所定取付位置への取り付け容易性さえ確保すれば、上記に準じた作用効果が奏される。
【００５５】
さらに、本発明の他の構成として、固定具を背板に対し分離して設けた上で、背板に設定した複数の取付位置に選択的に取り付け可能とし、背幅調節部を異なる背幅位置に固定するように構成することもできる。この場合は、まず背幅調節部を接離方向に沿って背板と分離し得ない状態下にスライド可能とすることで異なる背幅位置をとらしめるようにする。そして、図２３（あるいは図２４、図２５）に示すように、背板３０３（４０３、５０３）に複数の取付位置Ｍ、Ｎを設定してその内面側からそれら取付位置Ｍ、Ｎの何れかに固定具３０６（４０６、５０６）を選択的に取り付け可能として、取り付けに伴い固定具３０６（４０６、５０６）の一部に設定した関連部３０６ａ（４０６ａ、５０６ａ、５０６ｂ）を背幅調節部１、２の一部に設定した被関連部３１２、３２２（４１２、４２２、５１２、５２２）に係り合わせるようにして、固定具３０６（４０６、５０６）を一の取付位置Ｍに取り付けたときには背幅調節部１、２を第１の背幅位置に固定し、固定具３０６（４０６、５０６）を他の一の取付位置Ｎに取り付けたときには背幅調節部１、２を第２の背幅位置に固定できるように構成することもできる。
【００５６】
具体的に説明すると、図２３（ａ）に示すものは、固定具３０６に設けた突起３０６ａを関連部とする一方、背幅調節部１、２に設けた貫通部３１２、３２２を被関連部とするものであり、突起３０６ａの先端に取付爪を設け、背板３０３の背幅方向に複数の取付孔３０３ａを設けている。そして、固定具３０６の突起３０６ａを背幅調節部１、２の貫通部３１２、３２２に貫通させた状態でその先端の取付爪を、少なくとも同図（ｂ）に示す最大背幅位置で背板３０３の外縁に近い取付孔３０３ａ（取付位置Ｎ側）に掛け止め、同図（ｃ）に示す最小背幅位置で背板３０３の外縁から遠い取付孔３０３ａ（取付位置Ｍ側）に掛け止めるようにしているものである。
【００５７】
或いは、図２４（ａ）に示すものは、背幅調節部１、２の背板４０３に対する可動範囲が規制されている場合において、固定具４０６に設けた突起４０６ａを関連部とする一方、背幅調節部１、２の内縁１ｐ、２ｐ及び当該内縁１ｐ、２ｐ近傍に設けた貫通部４１２、４２２をそれぞれ被関連部とするものであり、突起４０６ａの先端に取付爪を設け、背板４０３の幅方向及び丈方向に各一対の取付孔４０３ａを設けている。そして、同図（ｂ）に示す最大背幅位置で固定具４０６の突起４０６ａを背幅調節部１、２の内縁１ｐ、２ｐに係り合わせてその先端の取付爪を背板４０３の一の取付位置Ｎに存する取付孔４０３ａに掛け止め、同図（ｃ）に示す最小背幅位置で固定具４０６を平面視９０°回転させることによりその突起４０６ａを背幅調節部１、２の貫通部４１２、４２２に貫通させてその先端の取付爪を背板４０３の他の一の取付位置Ｍに存する取付孔４０３ａに掛け止めるようにしているものである。
【００５８】
さらに、図２５（ａ）に示すものは、同じく背幅調節部１、２の背板５０３に対する可動範囲が規制されている場合において、固定具５０６の外方端５０６ｂ及びその外方端５０６ｂよりも内側に設けた突起５０６ａをそれぞれ関連部とする一方、背幅調節部１、２の内縁１ｐ、２ｐ及び当該内縁１ｐ、２ｐ近傍に設けた貫通部５１２、５２２をそれぞれ被関連部とするものであり、突起５０６ａの先端に取付爪を設け、背板３０３の幅方向及び丈方向に各一対の取付孔５０３ａを設けている。そして、同図（ｂ）に示す最大背幅位置で固定具５０６の外方端５０６ｂを背幅調節部１、２の内縁１ｐ、２ｐに係り合わせて突起５０６ａの先端の取付爪を背板５０３の一の取付位置Ｎに存する取付孔５０３ａに掛け止め、同図（ｃ）に示す最小背幅位置で固定具５０６を平面視９０°回転させることにより固定具５０６の突起５０６ａを背幅調節部１、２の貫通部５１２、５２２に係り合わせてその先端の取付爪を背板１、２の他の一の取付位置Ｍに存する取付孔５０３ａに掛け止めるようにしている。
【００５９】
以上のように構成しても、背幅を通常状態から拡幅させ、再固定して使用する上で有用な構造をなし、しかも机上で見開いた状態のままで背幅変更作業を容易に行うことの可能な、使い勝手に優れたファイルを簡易な構造により提供することができるものである。
【００６０】
その他の構成も、本発明の趣旨を逸脱しない範囲で種々変形が可能である。
【図面の簡単な説明】
【００６１】
【図１】本発明の一実施形態に係るファイルの斜視図。
【図２】同分解斜視図。
【図３】同ファイルの背幅調節機能を縮幅状態において示す斜視図。
【図４】取付機構及び固定具の縮幅時の状態を示す平面図。
【図５】図４におけるＡ−Ａ線断面図。
【図６】図４におけるＢ−Ｂ線断面図。
【図７】図６に対応した作用説明図。
【図８】図４におけるＣ−Ｃ線断面図。
【図９】同ファイルの背幅調節機能を拡幅状態において示す斜視図。
【図１０】取付機構及び固定具の拡幅時の状態を示す平面図。
【図１１】図９におけるＤ−Ｄ線断面図。
【図１２】図９におけるＥ−Ｅ線断面図。
【図１３】図９におけるＦ−Ｆ線断面図。
【図１４】同実施形態の綴じ杆を縮幅状態において示す図。
【図１５】同実施形態の綴じ杆を拡幅状態において示す図。
【図１６】同実施形態の綴じ杆に延長パイプを適用した図。
【図１７】同実施形態における格納空間を示す断面図。
【図１８】同実施形態の延長パイプを示す図。
【図１９】図１８の延長パイプの拡大断面図。
【図２０】本発明の変形例を示す図４及び図１０に対応した平面図。
【図２１】本発明の他の変形例を示す図８及び図１３に対応した断面図。
【図２２】本発明の上記以外の変形例を示す斜視図。
【図２３】本発明の他の実施形態を示す概略的な説明図。
【図２４】本発明の上記以外の実施形態を示す概略的な説明図。
【図２５】本発明の更に異なる実施形態を示す概略的な説明図。
【符号の説明】
【００６２】
Ａ…表表紙
Ｂ…裏表紙
Ｃ…背表紙
１，２…背幅調節部
１ｐ、２ｐ…被関連部（内縁）
３…背板
４…取付機構
５…綴じ具
５ｘ…綴じ杆
６、１０６、２０６…固定具
６ａ…ヒンジ部
１２、２２…被関連部（貫通部）
３１、４２ａ…ガイド部（長孔）
３２…取付孔
４１…支持杆
４２…覆板
５１…押さえ片
５２…ベース部
５３…パイプ
５４…軸
６１、６２…関連部（突起）
６１ａ…取付爪
１０６ａ…関連部（外方端）
１１２、１２２…被関連部（貫通部）
２１１、２１２…被関連部（貫通部）
【図１】
2008044156.tif 000003
【図２】
2008044156.tif 000004
【図３】
2008044156.tif 000005
【図４】
2008044156.tif 000006
【図５】
2008044156.tif 000007
【図６】
2008044156.tif 000008
【図７】
2008044156.tif 000009
【図８】
2008044156.tif 000010
【図９】
2008044156.tif 000011
【図１０】
2008044156.tif 000012
【図１１】
2008044156.tif 000013
【図１２】
2008044156.tif 000014
【図１３】
2008044156.tif 000015
【図１４】
2008044156.tif 000016
【図１５】
2008044156.tif 000017
【図１６】
2008044156.tif 000018
【図１７】
2008044156.tif 000019
【図１８】
2008044156.tif 000020
【図１９】
2008044156.tif 000021
【図２０】
2008044156.tif 000022
【図２１】
2008044156.tif 000023
【図２２】
2008044156.tif 000024
【図２３】
2008044156.tif 000025
【図２４】
2008044156.tif 000026
【図２５】
2008044156.tif 000027